(57)【要約】【課題】  発光部を有する本体が台座部などに装着された際にも、発光部が発光し、しかも、発光部を使用者の使用態様に応じて、調整することができる照明装置を提供する。【解決手段】  発光部１と、一端がこの発光部１に接続されるとともに、変形自在であって形状保持力を有する連結部２と、この連結部２の他端に接続される略柱状の本体３と、この本体３の内部に収納される充電可能な蓄電部４と、凹部５ａを有し、この凹部５ａに本体が挿入可能な台座部５と、商用電源からの電力を台座部５に給電する給電部６と、を備え、本体３が台座部５から取り外された際には、蓄電部４によって発光部１の点灯が可能であるとともに、本体３が台座部５に接続された際には、給電部６からの給電によって発光部１の点灯が可能となっている。【選択図】図１
2005310496.tif 000002
【特許請求の範囲】
【請求項１】
発光部と、一端がこの発光部に接続されるとともに、変形自在であって形状保持力を有する連結部と、この連結部の他端に接続される略柱状の本体と、この本体の内部に収納される充電可能な蓄電部と、凹部を有し、この凹部に本体が挿入可能な台座部と、商用電源からの電力を台座部に給電する給電部と、を備え、本体が台座部から取り外された際には、蓄電部によって発光部の点灯が可能であるとともに、本体が台座部に接続された際には、給電部からの給電によって発光部の点灯が可能であることを特徴とする照明装置。
【請求項２】
本体の底面近傍に２次コイルが配置されているとともに、本体が台座部に挿入された際に２次コイルと対向する台座部の凹部に１次コイルと設け、１次コイルと２次コイルとの電磁誘導によって、蓄電部を充電することを特徴とする請求項１に記載の照明装置。
【請求項３】
平面視にて台座部の凹部よりも面積が大きいものであって柱状本体を囲む弾性部を有し、本体が台座部に挿入される際にこの弾性部によって、本体が台座部に保持されることを特徴とする請求項１又は２に記載の照明装置。
【発明の詳細な説明】
【技術分野】
【０００１】
本発明は、照明本体を充電器から取り外すことができる照明装置に関する。
【背景技術】
【０００２】
この種の従来例として、実開平６−５００７号公報に記載のものが挙げられる。この充電式電池ローソクは、図５に示すように、擬似ローソクＪ１と充電機能付き置き台Ｊ２とから構成されている。そして、スイッチ機構Ｊ３４などを設け、擬似ローソクＪ１を置き台Ｊ２の差し込み口部Ｊ２０内に差し込むと擬似ローソクＪ１が消灯されるとともに、内蔵電池が自動的に充電されるようにしたので、十分な電池の電圧を確保して従来の電池式ローソクに比して安定した明るさの擬似ローソクを得ることができ、しかも長い年月にわたってかわらず使用できる。
【０００３】
また、この充電式電池ローソクでは、擬似ローソク１を置き台２の差し込み口部Ｊ２０から引き抜くと、スイッチ機構Ｊ３４などによって充電が停止されて自動的に擬似ローソクＪ１が点灯するようにしたので、非常に簡単に使用できる。
【０００４】
さらに、この充電式電池ローソクでは、擬似ローソクＪ１の置き台差し込み口部Ｊ２０への差し込み及び引き抜きによってスイッチ機構Ｊ３４などの切替えを行うようにしたので、スイッチ操作を行うことなく、擬似ローソクＪ１の内蔵電池の充電停止及び擬似ローソクＪ１の点灯消灯を行うことができる。その結果、電気的知識の乏しい老人、あるいは手足の少し不自由な老人にも簡単に取り扱うことが可能となる。
【特許文献１】実開平６−５００７号公報（図１）
【発明の開示】
【発明が解決しようとする課題】
【０００５】
ところが、このような充電式電池ローソクにおいては、擬似ローソクＪ１が充電機能付き置き台Ｊ２に装着された場合に、擬似ローソクＪ１が消灯してしまう。すなわち、このような充電式電池ローソクにおいては、そもそも、擬似ローソクＪ１が充電機能付き置き台Ｊ２に装着された場合において、擬似ローソクＪ１を点灯させて使用することを目的としていない。したがって、擬似ローソクＪ１が充電機能付き置き台Ｊ２に装着された場合には、擬似ローソクＪ１充電されるだけで、点灯はしない。
【０００６】
そして、擬似ローソクＪ１が充電機能付き置き台Ｊ２に装着された際に、擬似ローソクＪ１を点灯させて使用することを目的としていないので、使用者の使用態様に応じて、発光部である擬似ローソクＪ１の位置を調整することもできなかった。
【０００７】
本発明は、上記問題点に鑑みてなしたものであり、その目的とするところは、発光部を有する本体が台座部などに装着された際にも、発光部が発光し、しかも、発光部を使用者の使用態様に応じて、調整することができる照明装置を提供することにある。
【課題を解決するための手段】
【０００８】
請求項１に記載の照明装置においては、発光部と、一端がこの発光部に接続されるとともに、変形自在であって形状保持力を有する連結部と、この連結部の他端に接続される略柱状の本体と、この本体の内部に収納される充電可能な蓄電部と、凹部を有し、この凹部に本体が挿入可能な台座部と、商用電源からの電力を台座部に給電する給電部と、を備え、本体が台座部から取り外された際には、蓄電部によって発光部の点灯が可能であるとともに、本体が台座部に接続された際には、給電部からの給電によって発光部の点灯が可能であることを特徴とする。
【０００９】
請求項２に記載の照明装置においては、本体の底面近傍に２次コイルが配置されているとともに、本体が台座部に挿入された際に２次コイルと対向する台座部の凹部に１次コイルと設け、１次コイルと２次コイルとの電磁誘導によって、蓄電部を充電することを特徴とする。
【００１０】
請求項３に記載の照明装置においては、平面視にて台座部の凹部よりも面積が大きいものであって柱状本体を囲む弾性部を有し、本体が台座部に挿入される際にこの弾性部によって、本体が台座部に保持されることを特徴とする。
【発明の効果】
【００１１】
以上、請求項１に記載の照明装置においては、本体が台座部から取り外された際には、蓄電部によって発光部の点灯が可能であるとともに、本体が台座部に接続された際には、給電部からの給電によって発光部の点灯が可能なので、本体が台座部から取り外された際には、携帯用照明装置として用いることができ、かつ、本体が台座部に接続された際には、例えば、卓上照明装置として使用することができる。これによって、照明装置自体の使用態様の幅が広がり、本発明の照明装置を様々な用途に使用することができる。
【００１２】
また、請求項２に記載の照明装置においては、蓄電部を１次コイルと２次コイルとの電磁誘導によって充電しているので、差込プラグなどを特に必要とせずに、簡単に蓄電部を充電することができる。また、本発明の照明装置は、１次コイルと２次コイルとの電磁誘導によって蓄電部を充電する、いわゆる非接触充電なので、本体の底面などが磨耗することもない。
【００１３】
さらに、請求項３に記載の照明装置においては、本体が台座部に挿入される際に弾性部によって本体が台座部に保持されるので、本体を台座部から取り外す際などに、本体と台座部とが直接接触することがない。したがって、本体、又は台座部が磨耗することがない。
【発明を実施するための最良の形態】
【００１４】
以下、本発明の実施の形態を図１から図４までを参照して説明する。図１は本実施の形態の断面図を示しており、図２は本実施の形態の電気配線図を示している。また、図３は本実施の形態の斜視図を示しており、図４は本実施の形態の使用態様図を示している。
【００１５】
つぎに、各部の構成を説明する。
【００１６】
発光部１は、本照明装置の光源となるものであり、電球や発光ダイオードなどである。また、発光部１が発光した際に、光がスポット光になるように、発光部１の全面近傍には集光キャップ８が設けられている。そして、この発光部１は螺着構造によりソケット９に着脱可能に取り付けられている。
【００１７】
発光部１として特に、発光色が、例えば、赤色、緑色、及び青色の３色からなる発光ダイオードを用いると、この赤色、緑色、及び青色の組合せで、各発光色が混合して色調を適宜変化させることができる。例えば、本体３を遊戯目的などではなく、通常の照明を目的として使用する場合には、白色光となるように発光色を組み合わせるとよい。光源として発光ダイオードを用いると、消費電力が少ないために、少量の電荷により長時間発光ダイオードを点灯させることができる。また、発光ダイオードが複数配列されている場合、例えば、一列を照明の目的で用いる白色光とし、他列をシグナルとして用いる赤色光としてもよい。
【００１８】
なお、発光部１として発光ダイオードを用いる場合、発光ダイオードに一定量の電流を供給するために定電流ダイオードを発光ダイオードに直列に接続して用いることが望ましい。その他、発光ダイオードが複数配列されている場合には、本体３の内部に配置されている制御集積回路１０によって、一列をシグナルとして点滅制御するとともに、他列を通常点灯させたり、特定部分の発光ダイオードのみを点滅制御してもよい。上述したような点灯制御を行うことによって、本照明装置の点灯モードのバリエーションが増え、使用目的の幅を広げることができる。
【００１９】
連結部２は、発光部１、又はソケット９と本体３とを接続するものである。そして、この連結部２は、フレキシブルな中空状のパイプであって、図３に示すように変形自在で、かつ、連結部２自身を軸として、３６０度の回動自在であるとともに、形状保持力を有している。また、この連結部２の中空内部にはさらに、図示しない変形自在のケーブルが配設されており、このケーブルによって、ソケット９と本体３とが電気的に接続されている。この連結部２は、軟質の成形体で、本実施の形態では、ブッシングに利用されている柔らかくてストレス分散性の高い樹脂である成形用ＰＶＣを用いている。もちろん、軟質の成形体であればポリウレタンなどの他のものであってもよく、また、ブチルゴム等のゴムであってもよい。
【００２０】
そして、連結部２の外面には、その変形性を高めるために多数の螺旋状の凹部、又は穴部を設けておくのが好ましい。このように連結部２の外面に多数の凹部、又は穴部を形成しておけば、連結部２がよりフレキシブルとなり、発光部１の微妙な調整を自在に行うことができる。
【００２１】
本体３は、本照明装置の基体となるものである。この本体３は略円柱状であって、使用者が手で保持しやすい形状となっている。もちろん、この本体３はその他三角柱状、あるいは四角柱状であっても構わない。そして、本体３の材質として本実施の形態では、本体３の意匠性を向上させるために透明のアクリルを用いている。もちろん、本体３の材質としてその他、ＰＭＭＡ、ポリカーボネート、若しくはガラスなどの透明、又は半透明の部材を用いても構わない。
【００２２】
また、この本体３の底面は下方に膨出する略卵形となっており、台座部５が有する凹部５ａの底面部は、この略卵形に対応した凹形となっている。さらに、本体３の底面近傍には、リング状の２次コイル３ａが水平面に対して略平行に配置されており、凹部５ａの下面近傍には、リング状の１次コイル５ｂが同じく水平面に対して略平行に配置されている。そして、本体３が台座部５に装着された際には、本体３の底面と凹部５ａの底面部とが係合するとともに、２次コイル３ａと１次コイル５ｂとが、互いに略平行に配置され、いわゆる非接触方式にて電磁結合される。
【００２３】
ここで、本体３の底面の形状は、球形、楕円形、碗状などの湾曲面を有する形状やその他、種々の形状に設定され、それらの形状に応じて凹部５ａの底面部の形状も設定される。特に、本実施の形態のように、本体３の底面の形状を略卵形にしておくと、本体３を台座部５から取り外し、本体３を床などの平面に配置した場合、本体３の内部に金属片などの重量部を挿入しておくだけで、本体３を重量部の自重によって自動的に起き上がらせることができる。これによって、使用者の使い勝手がよくなる。
【００２４】
さらに、本体３の側面には、その外周に沿って複数のリング状の弾性部７が配置されている。この弾性部７は、本体３が蓄電部４から取り外された場合であって、使用者が本体３を保持するときに滑り止めになるとともに、本体３が蓄電部４に装着された場合には、本体３と蓄電部４の凹部５ａとの保持力を高め、本体３のずれを防止するものである。すなわち、この弾性部７は、平面視にて台座部３の凹部５ａよりも面積が大きいものであって、柱状本体３の側部外面に密着して設けられている。そして、このように蓄電部４に対する本体３を防止することができると、１次コイル５ｂに発生した磁束を２次コイル３ａに効率的に伝達することができ、電力損失を軽減することができる。
【００２５】
本実施の形態ではこの弾性部７の材料として、熱可塑性のフッ素系樹脂を用いている。このような熱可塑性の材料は耐熱性があり、本体３の温度が上昇しても形状が変形しにくい。また、フッ素系樹脂は伸縮する性質があるので、凹部５ａの形状がばらついた場合においても、そのばらつき形状に応じて樹脂の長さが伸縮し、本体３が蓄電部４との位置関係を適宜均一にすることができる。もちろん、弾性部７としてその他の熱可塑性、例えば、シリコン系樹脂、ポリエーテルイミド（ＰＥＩ）、ポリエーテルサルホン（ＰＥＳ）等を用いてもよい。その他シリコンゴムでもよい。
【００２６】
また、本体３の内部には制御集積回路１０が収納されており、この制御集積回路１０に制御される発光ダイオードなどからなる表示部１２が、本体３の側面に設置されている。この表示部１２の位置は、本体３が台座部５に接続された場合においても、隠れてしまわない高さに配置されている。そして、この制御集積回路１０の制御によって、本体３が台座部５の接続された場合において、蓄電部４が充電されているときに、表示部１２が点灯する。なお、制御集積回路１０は、例えば、マイコンなどからなり、上述したように発光部１をも制御している。
【００２７】
さらにまた、本体３の側面であって表示部１２の上方には、本体３が台座部５の接続された場合にも発光部１を発光させる制御を行うか、あるいは、本体３が台座部５の接続された場合には発光部１は必ず消灯させる制御を行うかを選択するモード切替スイッチ１３が配設されており、このモード切替スイッチ１３をオンすることによって、本体３が台座部５の接続された場合にも発光部１を発光させることができる。
【００２８】
蓄電部４は、本体３が台座部５から取り外された場合に、発光部１を点灯させる電源となるものである。そして、この蓄電部４は、本体３内部に収納されており、本体３が台座部５に設置された場合には、２次コイル３ａ及び制御集積回路１０を介して１次コイル５ｂから供給される電力が蓄電される。本実施の形態では、この蓄電部４として、ニッケル・カドミウム電池やリチウムイオン電池などの２次電池を１個、あるいは複数個を直列に接続して用いている。
【００２９】
台座部５は、本照明装置の母体となるとともに、本体３が装着された際に本体３を支持する支持体となるものである。すなわち、この台座部５は円筒状の凹部５ａを有する柱状部と、該柱状部に略垂直であって、床などの平面と安定接触する円盤状の基部とからなっており、該凹部５ａには、本体３が挿入される。
【００３０】
また、台座部５の内部には、本体３が台座部５の接続されたかどうかを検知する制御回路１１が設けられており、台座部５に給電部６からの電力が供給された場合でも、本体３が蓄電部４に接続されていなければ、２次コイル３ａに電力を供給しないように制御している。
【００３１】
給電部６は、商用交流電源ＡＣから供給された電力を１次コイル５ｂなどを介して、蓄電部４に供給するものであり、本実施の形態では、ＡＣ／ＤＣコンバータのアダプタである。そしてこの給電部６は、１００Ｖの商用交流電圧ＡＣを、例えば、４５Ｖ程度のより低く安全な電圧に変換している。
【００３２】
なお、本体３以外のもの、例えば、金属物が凹部５ａ上に置かれたときに、制御回路１１では異物を検出できず、２次コイル３ａから発生される磁束による誘導のため、該金属が加熱される。特に、蓄電部４を充電するためには、比較的に大きな電力を要する場合があり、上記金属物は高温となる場合がある。このため、蓄電部４の凹部４ａが変形するなどの問題が生じる場合がある。
【００３３】
そこで、例えば、制御回路１１にさらに、２次コイル３ａに流れる電流量を検知する機能を持たせ、本体３が接続された際に流れる電流以上の電流が流れた場合に、電流経路を遮断するリレー接点、又は半導体スイッチなどのスイッチを設けてもよい。このようなスイッチを設けておくと、たとえ、金属物などが凹部５ａの上に置かれ、２次コイル３ａに大電流が流れるようなことがあっても、スイッチが解放されるので、２次コイル３ａによる誘導加熱を防ぐことができる。
【００３４】
以上、本実施の形態によれば、本体３が台座部５から取り外された際には、蓄電部４によって発光部１の点灯が可能であるとともに、本体３が台座部５に接続された際には、モード切替スイッチ１３をオンすることによって、蓄電部４からの給電によって発光部１の点灯が可能となる。しかも、連結部２が変形自在なので、本体３が台座部５に接続された際にも発光部１の微調整をすることができる。これによって、照明装置自体の使用態様の幅が広がり、本発明の照明装置を様々な用途に使用することができる。
【００３５】
また、本発明の照明装置は、２次コイル３ａと１次コイル５ｂとの電磁誘導によって蓄電部４を充電する、いわゆる非接触充電なので、本体３の底面などが磨耗することもない。
【００３６】
さらに、本体３が台座部５に挿入される際に弾性部７によって本体３が台座部５に保持されるので、本体３を台座部５から取り外す際などに、本体１と台座部３とが直接接触することがない。したがって、本体１、又は台座部３が磨耗することがない。しかも、この弾性部７自体は、使用者が本体３を保持するときに滑り止めになるとともに、本体３が蓄電部４に装着された場合には、本体３と蓄電部４の凹部５ａとの保持力を高め、本体３のずれを防止することもできる。これによって、１次コイル５ｂに発生した磁束を２次コイル３ａに効率的に伝達することができ、電力損失を軽減することができる。
【図面の簡単な説明】
【００３７】
【図１】本実施の形態を示す断面図である。
【図２】本実施の形態を示す電気配線図である。
【図３】本実施の形態を示す斜視図である。
【図４】本実施の形態の使用態様を示す図である。
【図５】従来例を示す外観図である。
【符号の説明】
【００３８】
１        発光部
２        連結部
３        本体
３ａ      ２次コイル
４        蓄電部
５        台座部
５ａ      凹部
５ｂ      １次コイル
６        給電部
７        弾性部
【図１】
2005310496.tif 000003
【図２】
2005310496.tif 000004
【図３】
2005310496.tif 000005
【図４】
2005310496.tif 000006
【図５】
2005310496.tif 000007